(57)【特許請求の範囲】
【請求項１】
室内熱交換器と、該室内熱交換器によって冷却または加熱された空気を室内に供給するファンとを筐体の内部に備え、該筐体には前記空気を室内に向けて吹き出す吹出通風路をなす壁部が形成された空気調和機の室内ユニットであって、
前記筐体は、前部筐体と、前記ファンの後方に位置し、前記吹出通風路をなす壁部が形成されている後部筐体とから構成されており、
前記前部筐体には、前記吹出通風路下流側の吹出口に配置されて、吹き出し空気を左右方向および上下方向に変更するルーバおよびフラップが設けられ、
前記後部筐体には、前記空気の吹き出し方向に突出して前記吹出通風路の一部をなす分割吹出口部材が着脱可能に設けられていることを特徴とする空気調和機の室内ユニット。
【請求項２】
前記分割吹出口部材は、前記壁部に連続し且つ該壁部に沿う外挿線以下に設けられる壁面を有していることを特徴とする請求項１記載の空気調和機の室内ユニット。
【請求項３】
前記分割吹出口部材を前記後部筐体に固定する固定手段が設けられていることを特徴とする請求項１または請求項２記載の空気調和機の室内ユニット。
【請求項４】
前記後部筐体に対して前記分割吹出口部材が装着されているか否かを検知する検知手段が設けられていることを特徴とする請求項１〜請求項３のいずれかに記載の空気調和機の室内ユニット。
【請求項５】
前記吹出通風路の下流側に、前記空気の吹き出し方向を上下方向に変更するフラップが、フラップ支持部材に対し該フラップから所定寸法離して設けられた回転軸を介して回動可能に設けられ、該フラップが前記吹き出し方向を上下方向に変更するための可動範囲を超えて前記吹出通風路の前記壁部から離間する方向に変位可能であることを特徴とする請求項１〜請求項４のいずれかに記載の空気調和機の室内ユニット。
【請求項６】
前記フラップは、クラッチを介して可動することを特徴とする請求項５記載の空気調和機の室内ユニット。
【請求項７】
室内の空気によって加熱または冷却された冷媒と室外の空気とを熱交換させる室外熱交換器を有する室外ユニットと、室外の空気によって冷却または加熱された冷媒と室内の空気とを熱交換させる室内熱交換器を有する室内ユニットとを備えた空気調和機であって、
前記室内ユニットは、請求項１〜請求項６のいずれかに記載の室内ユニットとされていることを特徴とする空気調和機。
【発明の詳細な説明】
【０００１】
【発明の属する技術分野】
本発明は、室内の空気を冷却または加熱して室内環境の調和を図る空気調和機に関し、特に空気調和機の一構成要素であって室内に設置される室内ユニットに関する。
【０００２】
【従来の技術】
従来の空気調和機について図を参照して説明する。
図６は、空気調和機の室内ユニット１００の構成を説明する図であって、符号１０１は室内ユニットの筐体、１０２は空気の吸い込み面（多数のスリットを有する）、１０３ａ，１０３ｂ，１０３ｃはいずれも室内熱交換器、１０４は通風路、１０５はタンジェンシャルファン（ファン）、１０６はスタビライザ、１０７は吹出通風路、１０８は筐体の一部をなす後部筐体（筐体）、１０９は左右ルーバ、１１０は上下２段配置のフラップ、１１１は吹出口である。なお、上側のフラップは上フラップ１１０ａ、下側のフラップは下フラップ１１０ｂである。
【０００３】
上記室内ユニットの動作について説明する。空調を行う対象空間である室内の空気は、タンジェンシャルファン１０５の回転駆動によってその上流側の通風路１０４に生じる負圧の作用により、吸い込み面１０２から筐体１０１内部に吸い込まれ、各室内熱交換器１０３ａ，１０３ｂ，１０３ｃを通過する過程で冷却または加熱されて通風路１０４に流れ込む。
【０００４】
通風路１０４に流れ込んだ空気は、タンジェンシャルファン１０５における排気作用により、後部筐体１０８側に誘導されながら吹出通風路１０７を通って吹出口１１１から室内に吹き出される。吹き出される空気は、吹出口１１１に設けられた複数の各左右ルーバ１０９と、上下２段に配置された各フラップ１１０ａ，１１０ｂとによって流れる方向が変更される。
各フラップ１１０ａ，１１０ｂは、リンク（図示せず）を介して連結されており、図示されない１つのモータ（駆動源）から該リンクに駆動力が伝達されることによって上下に同様な角度を有しつつ平行状態で回動する。
【０００５】
ここで、タンジェンシャルファン１０５による排気作用について説明する。タンジェンシャルファン１０５が図中の矢印方向に回転すると、近接配置されたスタビライザ１０６の働きによりタンジェンシャルファン１０５の内部に循環流れである渦流が発生する。この渦流の作用により通風路１０４の空気がタンジェンシャルファン１０５の内側に引き込まれ、吹出口１１１に向けて排気される。
【０００６】
ところで、近年の空気調和機の室内ユニット１００は、吹き出される空気の清浄維持と省エネ効果とを達成するために、室内ユニット１００内部の清掃作業を容易化している。
例えば、各室内熱交換器１０３ａ，１０３ｂ，１０３ｃを通過する空気は、事前に吸い込み面１０２近傍に設置されたフィルタ（図示せず）を通過して導入される。これにより、室内に漂う多くの浮遊物はフィルタに取り込まれてきれいな空気が各室内熱交換器１０３ａ，１０３ｂ，１０３ｃを通過する。しかしながら、長期の使用により各室内熱交換器１０３ａ，１０３ｂ，１０３ｃにはフィルタに取り込まれなかった浮遊物、花粉、カビの胞子が付着し、さらにはカビが繁殖して胞子が室内に放出されるおそれがある。
【０００７】
これを回避するため、室内ユニット１００の筐体１０１をなす吸い込み面１０２の取り外し作業を容易化して、ユーザが容易に各室内熱交換器１０３ａ，１０３ｂ，１０３ｃを清掃できるようにしている。
また、各室内熱交換器１０３ａ，１０３ｂ，１０３ｃを清掃することで、空気と冷媒との熱交換率が向上し、省エネ効果も達成される。
【０００８】
【発明が解決しようとする課題】
しかしながら、上記従来の空気調和機の室内ユニット１００において、室内熱交換器１０３ａ，１０３ｂ，１０３ｃに覆われた状態で設けられたタンジェンシャルファン１０５、及び吹出口１１１につながる吹出通風路１０７の壁面を清掃する構造としては、実用性あるものがほとんど提案されていない。
【０００９】
一例として、左右ルーバ１０９と上下のフラップ１１０とを取り外し、手または清掃器具を差し込んでタンジェンシャルファン１０５や吹出通風路１０７の壁面を清掃するものがある。
【００１０】
しかし、たとえ左右ルーバ１０９・上下のフラップ１１０を取り外したとしても、図６に示すように吹出口１１１から吹出通風路１０７を介してタンジェンシャルファン１０５をユーザが目視することは困難であり、また、吹出通風路１０７の上下方向の幅がわずかなものであるため、手を入れての清掃作業は困難であり的確な清掃及び清掃状態の確認ができなかった。
【００１１】
また、左右ルーバ１０９とフラップ１１０とを取り外して清掃作業を行うため複雑な上に、取り外す際にこれらを破損しかねず、清掃作業が敬遠されてしまうという問題があった。
特に、左右ルーバ１０９とフラップ１１０は軽量且つ薄く形成されており、室内の上方に設けられた室内ユニット１００から破損させずにこれらを取り外すことは困難である。
【００１２】
同時に、取り外された左右ルーバ１０９とフラップ１１０は、一時的に放置されることになるので、清掃中に破損する恐れがある。さらには、左右ルーバ１０９とフラップ１１０とは複数の構成部品で形成されているので、各構成部品の紛失など思いがけない問題が起こりうる可能性もある。
【００１３】
本発明は上記事情に鑑みてなされたものであり、空気調和機の一構成要素である室内ユニット内にあるファン及び吹出通風路の清掃を容易に且つ的確に行うことが可能な空気調和機の室内ユニットおよび空気調和機を提供することを目的とする。
【００１４】
【課題を解決するための手段】
本発明は、上記課題を解決するため、以下の手段を採用する。
請求項１に記載の空気調和機の室内ユニットは、室内熱交換器と、該室内熱交換器によって冷却または加熱された空気を室内に供給するファンとを筐体の内部に備え、該筐体には前記空気を室内に向けて吹き出す吹出通風路をなす壁部が形成された空気調和機の室内ユニットであって、前記筐体は、前部筐体と、前記ファンの後方に位置し、前記吹出通風路をなす壁部が形成されている後部筐体とから構成されており、前記前部筐体には、前記吹出通風路下流側の吹出口に配置されて、吹き出し空気を左右方向および上下方向に変更するルーバおよびフラップが設けられ、前記後部筐体には、前記空気の吹き出し方向に突出して前記吹出通風路の一部をなす分割吹出口部材が着脱可能に設けられていることを特徴とする。
【００１５】
後部筐体は、吹出通風路の一部をなす分割吹出口部材を備えているので、この分割吹出口部材を後部筐体から取り外すことで、前部筐体に設けられているルーバおよびフラップを取り付けたまま吹出通風路に通じるファンに向けて開口された空間が形成される。分割吹出口部材は、ファンの形状に合わせた長さにて形成されることが望ましく、一つの部品として構成してもよいし、複数の部品に分割して形成することとしてもよい。
【００１６】
また、後部筐体から取り外された分割吹出口部材は、後部筐体から完全に取り外される構成としてもよいが、分割吹出口部材の一側部を後部筐体に、例えばヒンジを介して回転可能に取り付けて着脱する構成としてもよい。後者の場合、分割吹出口部材の取り外し時においてもファンに向けて開口された空間を形成しつつ分割吹出口部材は後部筐体に付属していることになる。
【００１７】
請求項２に記載の空気調和機の室内ユニットは、請求項１記載の空気調和機の室内ユニットにおいて、前記分割吹出口部材は、前記壁部に連続し且つ該壁部に沿う外挿線以下に設けられる壁面を有していることを特徴とする。
【００１８】
このような構成により、ファンから吹き出されて吹出通風路を流動する空気が、分割吹出口部材と後部筐体との隙間に入り込むことや、渦を巻くことなく吹出口に向かって流動する。つまり、分割吹出口部材の吹出通風路に面する壁面と、後部筐体の壁部との段差がある場合、空気の流れがこの段差によって乱され、振動・異音等が発生する可能性がある。また、結露が発生した場合、段差があることによって水滴が分割吹出口部材と後部筐体との隙間に入り込むことにもなる。
分割吹出口部材の壁面を壁部に沿う外挿線以下となるように分割吹出口部材を取り付けるためには、例えば分割吹出口部材の厚さを後部筐体の部材厚さよりも薄く形成することや、嵌め込むために形成する段付き形状の位置を下方にずらすなど等が挙げられる。
【００１９】
請求項３に記載の空気調和機の室内ユニットは、請求項１または請求項２記載の空気調和機の室内ユニットにおいて、前記分割吹出口部材を前記後部筐体に固定する固定手段が設けられていることを特徴とする。
【００２０】
このような構成とすることで、分割吹出口部材、あるいは後部筐体に設けられた固定手段にて着脱可能とされた分割吹出口部材が固定され、固定手段を動作させることで自由に取り外すこともできる。
固定手段は分割吹出口部材と後部筐体とをつなげる役目を担い、例えばスライド式のスライド部材を設けること等が挙げられる。このスライド部材は例えば分割吹出口部材側に取り付け、スライド部材と連動する突起部を分割吹出口部材内部に設けて、この突起部をスライドさせて後部筐体側に形成した孔部に嵌め込むこと構成とすることが望ましい。
この場合、分割吹出口部材を後部筐体から取り外す際には、先にスライド部材をスライドさせて孔部から突起部を退避させ、分割吹出口部材の端部側を後部筐体から取り外し、分割吹出口部材の反対側端部の嵌め込みを解除して、分割吹出口部材を取り外すことになる。取り外された分割吹出口部材の空間には、吹出通風路に通じるファンに向けて開口された空間が形成されることになる。
【００２１】
請求項４に記載の空気調和機の室内ユニットは、請求項１〜請求項３のいずれかに記載の空気調和機の室内ユニットにおいて、前記後部筐体に対して前記分割吹出口部材が装着されているか否かを検知する検知手段が設けられていることを特徴とする。
【００２２】
分割吹出口部材が後部筐体に取り付けられた状態にて、この検知手段が分割吹出口部材の存在を検知することになり、また分割吹出口部材が後部筐体から取り外された状態では、検知手段は分割吹出口部材が存在しないことを検知する。このことは分割吹出口部材の有無を比較して判断するものである。
【００２３】
検知手段は、例えばマイクロスイッチ等を用いることが望ましく、このマイクロスイッチを空気調和機の本体側である後部筐体側に設置し、分割吹出口部材が取り付けられた状態にてマイクロスイッチが押されるようにする。
反対に分割吹出口部材が取り外された状態では、マイクロスイッチが押されないようにする。つまり、マイクロスイッチの接点が接触しない状態とする。分割吹出口部材が後部筐体に取り付けられた状態をノーマル（通常）として、マイクロスイッチからノーマルオープンあるいはノーマルクローズの回路を構成し、信号として出力することになる。このように分割吹出口部材の検知は、分割吹出口部材の着脱状態のどちらで検知してもよい。
【００２４】
請求項５に記載の空気調和機の室内ユニットは、請求項１〜請求項４のいずれかに記載の空気調和機の室内ユニットにおいて、前記吹出通風路の下流側に、前記空気の吹き出し方向を上下方向に変更するフラップが、フラップ支持部材に対し該フラップから所定寸法離して設けられた回転軸を介して回動可能に設けられ、該フラップが前記吹き出し方向を上下方向に変更するための可動範囲を超えて前記吹出通風路の前記壁部から離間する方向に変位可能であることを特徴とする。
【００２５】
通常フラップは、吹き出し方向を上下方向に変更する回転軸を中心にほぼ水平となる位置からほぼ垂直となる位置の間である約９０°前後の範囲までしか回動しない。ここでいうフラップのほぼ水平となる位置とは、フラップが吹出口を塞いだ状態をいうものであり、空気の吹出方向である前側にフラップの面が多少傾いている状態を含むものである。このような構造は、回転軸がフラップよりも上方に位置している場合に多く、フラップが吹出口を塞ぐ状態から奥側に回動して、下向きに空気を吹き出すような回動範囲にしか設定していない。
【００２６】
本発明に係る構成により、ほぼ水平となる位置からフラップが上方に向かってさらに回動し、回転軸のほぼ前方（正面側）となる位置にまで回動する。
つまり、フラップが空気の吹き出し方向を上下方向に変更するための通常の可動範囲を超えて、分割吹出口部材の壁面から離間した位置に回動することになる。これによって、フラップの回転軸後方には、吹出通風路に通じるファンに向けて開口された空間が形成され、分割吹出口部材の取り外しによる開口した空間と共に吹出通風路及びファンにつながる大きな空間が形成される。
【００２７】
請求項６に記載の空気調和機の室内ユニットは、請求項５記載の空気調和機の室内ユニットにおいて、前記フラップは、クラッチを介して可動することを特徴とする。
【００２８】
自動制御にてフラップを回動させる一般的な空気調和機の室内ユニットは、例えば上下２段配置の各フラップをリンクで連結させて１つの駆動源で回動させる構成としている。上フラップは、吹出口を塞ぐほぼ水平となる位置（多少前傾斜も含む）からさらに上方へと回動できない構造とされているため、上フラップとリンクで連結された下フラップはこれ以上上方に回動しない。
【００２９】
本発明に係るクラッチをリンク間に用いることで、リンクを介して各フラップにかかる回転力を一時的に切断させることができ、この切断状態にてフラップを回転軸の上方、つまりは通常の可動範囲と異なる位置に回動させることが可能となる。クラッチがつながっている場合には通常の可動範囲で動作する。
フラップが２つ以上ある場合には、リンクを介して１つの駆動源によって連動して回動させることも可能であり、１つのフラップの場合においても通常の可動範囲と異なる可動範囲を回動することができる。また、クラッチの接続は、定位置にて接続される構成とすることが望ましい。これは通常と異なる位置でクラッチを接続して通常の可動範囲を動作すると破損につながるからである。回転軸に対して前方に位置したフラップによって、この回転軸の後方にはファンにつながる開口された空間が形成される。
【００３０】
請求項７に記載の空気調和機は、室内の空気によって加熱または冷却された冷媒と室外の空気とを熱交換させる室外熱交換器を有する室外ユニットと、室外の空気によって冷却または加熱された冷媒と室内の空気とを熱交換させる室内熱交換器を有する室内ユニットとを備えた空気調和機であって、前記室内ユニットは、請求項１〜請求項６のいずれかに記載の室内ユニットとされていることを特徴とする。
【００３１】
このように構成された空気調和機は、ファン及び吹出通風路に通じる開口された空間が吹出口近傍に形成された室内ユニットを備えることになる。
【００３２】
【発明の実施の形態】
次に、本発明の実施形態について、図面を参照して説明する。
図１は空気調和機の概要を示す全体構成図である。図において、符号１は室内ユニット、５は室外ユニット、９は両ユニット間で冷媒を循環させる冷媒配管を示している。室外ユニット５は、室内の空気によって加熱または冷却された冷媒と室外の空気とを熱交換させる室外熱交換器７、室外熱交換器７または後述する室内熱交換器３ａ，３ｂ，３ｃに冷媒を送出する圧縮機６、室外熱交換器７に屋外の空気を流通させるプロペラファン８等を有している。
【００３３】
室内ユニット１は、室外の空気によって冷却または加熱された冷媒と室内の空気とを熱交換させる室内熱交換器３ａ，３ｂ，３ｃ、室内の空気を各室内熱交換器３ａ，３ｂ，３ｃを通じて流動させるタンジェンシャルファン１５（ファン）、タンジェンシャルファン１５に近接配置されて排気作用を生み出すスタビライザ１６、熱交換された空気が室内に向けて吹き出される吹出口１８等を有している。
【００３４】
さらに、図２を用いて室内ユニット１の構成について説明する。
図２は本実施形態における空気調和機の室内ユニット１の概略構成を示す正面図である。図１において、符号１１は筐体、１１ａは筐体の一構成要素である後部筐体（筐体）、１２は空気の取り込み面、１４はスポイラ（分割吹出口部材）、１４ａはスポイラを着脱自在に固定するスライド式のレバー（固定手段）を示している。空気の取り込み面１２の後方には、上述した各室内熱交換器（図示せず）が設けられ、さらにそれらの内側にはタンジェンシャルファン（図１参照）が設けられる。
【００３５】
さらに、図３を用いて室内ユニット１の下部の構成を詳しく説明する。図３は室内ユニット１の下部の内部構成を示した側断面図であり、図３（ａ）はスポイラ１４が取り付けられた状態を示し、図３（ｂ）はスポイラ１４が取り外された状態を示している。
図において、１１ｂは筐体の一構成要素である前部筐体、１５はタンジェンシャルファン（ファン）、１６はスタビライザ、１７は吹出通風路、１８は吹出口、１９は左右ルーバ、２１は上フラップ、２２は下フラップ、２３，２４は各フラップを支持する各フラップ支持部材を示している。
【００３６】
図２において、筐体１１は室内ユニット１の外観形状を形成するものであり、複数の部品が組み合わされて構成される。スポイラ１４は、この筐体１１の一部として構成され、またタンジェンシャルファンから排気される空気を誘導する壁部を有した後部筐体１１ａに連続するように着脱自在に取り付けられる。
また、スポイラ１４の一端下部にはレバー１４ａが後部筐体１１ａとの分割部を跨いで設けられる。
【００３７】
また、図３において、後部筐体１１ａはタンジェンシャルファン１５の後方（図において右側）に位置し、タンジェンシャルファン１５から排気される空気を吹出口１８に導くための吹出通風路１７を形成する。吹出通風路１７の下流側にある吹出口１８には、吹き出される空気の左右方向を導く左右ルーバ１９と、吹き出される空気の上下方向を導く各フラップ支持部材２３，２４に支持された上フラップ２１と下フラップ２２とが備わる。
【００３８】
スポイラ１４は後部筐体１１ａと分割構造とされ、図３（ａ）、（ｂ）に示されるように着脱自在とされる。このスポイラ１４の着脱構造及び着脱方法について図４を用いて説明する。
図４はスポイラ１４及びこれが嵌め込まれる筐体１１の一構成要素をなす後部筐体１１ａの構成を説明する図であって、（ａ）は後部筐体１１ａの右下側の斜視図、（ｂ）は後部筐体１１ａの左下側の斜視図、（ｃ）は後部筐体１１ａにスポイラ１４が嵌め込まれた状態を示した斜視図、（ｄ）はレバー１４ａの動作を説明する斜視図、（ｅ）はスポイラ１４及び後部筐体１１ａの内部構造図である。なお、ここでいう左右方向は空気の吹き出し方向に向かって左右をいうものである。
【００３９】
スポイラ１４が嵌め込まれる後部筐体１１ａの凹所の両側面Ｒ，Ｌ（（ａ），（ｂ）参照）には、凹凸形状が形成され、さらに左側の側面Ｌには孔１４ａが形成される（図４（ｂ）参照）。
スポイラ１４の両端部には、後部筐体１１ａの凹所の両側面Ｒ，Ｌの凹凸形状に相対して嵌め込み可能な凹凸形状が形成される。
【００４０】
スポイラ１４を後部筐体１１ａに取り付ける際には、図４（ｃ）に示すように、後部筐体１１ａの形状に合わせて略三角柱形状とされたスポイラ１４が、後部筐体１１ａに右側面Ｒに端部から差し込まれる（１）。そして、スポイラ１４左側の端部を後部筐体１１ａの左側面Ｌに滑り込ませながら押し込み（２）後部筐体１１ａに嵌め込まれる。さらに、レバー１４ａを向かって右側にスライドさせてスポイラ１４を固定する（３）。
【００４１】
レバー１４ａはスポイラ１４の内部にある突起部１４ｂ（図４（ｄ）参照）と連結されており、レバー１４ａが向かって右にスライドすると、これに追従して突起部１４ｂが後部筐体１１ａの左側面Ｌに形成された孔１４ｃ（図４（ｂ）参照）に差し込まれる。これによって後部筐体１１ａから分割されたスポイラ１４が、後部筐体１１ａに固定されて一体化することになる。
【００４２】
また、スポイラ１４を後部筐体１１ａから取り外す際には、レバー１４ａを図４（ｄ）において左側にスライドさせて突起部１４ｂを孔部１４ｃから退避させ、スポイラ１４内に引っ込めてからスポイラ１４の左端側を手前側に引くことで後部筐体１１ａからスポイラ１４が取り外される。
【００４３】
さらに、後部筐体１１ａには図４（ｅ）に示されるマイクロスイッチ１３（検知手段）が備わる。このマイクロスイッチ１３は、検知部１３ａがスポイラ１４に形成された検知用部材１３ｂに押されることでスポイラ１４の存在を検知する。一方、検知部１３ａが検知用部材１３ｂに押されない状態ではスポイラ１４が存在しないことを検知することになる。
【００４４】
スポイラ１４を検知してマイクロスイッチ１３から出力される信号は、タンジェンシャルファン１５の作動停止等を促すことができ、タンジェンシャルファン１５への清掃における安全対策として働く。
つまり、マイクロスイッチ１３の検知部１３ａが、スポイラ１４からの押しつけ力を受けない場合には、運転時でもタンジェンシャルファン１５の作動停止が強制的に働き、完全にタンジェンシャルファン１５を停止させることになる。よって、スポイラ１４が取り外されて大きく開口した空間Ｓ（図３（ｂ）参照）が形成され、タンジェンシャルファン１５に向かって不意に手を入れてしまっても、タンジェンシャルファン１５が回転していることはなく、安全に掃除作業ができる。
【００４５】
このようにスポイラ１４を着脱可能とすることで、図３（ｂ）に示すようにタンジェンシャルファン１５の下方には吹出通風路１７につながる空間幅Ｗを有する空間Ｓが形成される。この空間は斜め下方に向かって大きく開口しており、ユーザがタンジェンシャルファン１５を容易に目視することができ、これらのことによって清掃の容易化が図られる。
【００４６】
また、スポイラ１４の吹出通風路１７に面する壁面は、後部筐体１１ａの壁部とほぼ連続してつながるような形状とされる。さらに詳しくいうなれば、スポイラ１４の壁面は後部筐体１１ａの壁部よりもわずかに低い位置とされる。
これは吹出通風路１７を流動する空気が、スポイラ１４と後部筐体１１ａとの分割箇所である隙間に入り込まないようにするためである。スポイラ１４と後部筐体１１ａとの分割箇所に段差がある場合には、段差の部分で空気の渦等が発生し、さらに分割箇所に吹出通風路１７を流動する空気が入り込むと、異音・振動等を発生させる可能性がある。また、結露等が発生した場合にはスポイラ１４内部に水が入り込む恐れもある。
これら問題点を解決すべく、スポイラ１４の壁面は後部筐体１１ａの壁部に沿う外挿線よりもわずかに低い位置となるように取り付けられる。
【００４７】
さらに、本実施形態の空気調和機は、空間Ｓの開口度合いをさらに拡大するため、下フラップ２２を後部筐体１１ａの壁部から離間させる位置に回動させる機構を有する構成としている。
図３（ｂ）を用いて説明する。従来より下フラップ２２は、回転軸２４ａを中心に矢印Ｆで示される約９０°前後の可動範囲で回動する。ここでいう可動範囲９０°とは、下フラップ２２の面が吹出口１８を塞ぐ水平面に対して反時計回りに約１３５〜１８０°と、空気の吹き出し方向をほぼ真下に向かうように設定した２２５〜２７０°との間における回動可能な角度をいうものである。
【００４８】
図に示すように、空間Ｓの空間幅Ｗは、下フラップ２２が吹出口１８における空気の吹き出し方向が下方向に向けられた状態にて得られる大きさである。本実施形態の下フラップ２２は、この回転軸２４ａの上方にあたる位置、換言すると、通常の可動範囲と異なる図において回転軸２４ａの左側の位置（点線で示す下フラップ）に回動角度Ｆ２にて回動可能とされる。
このことよって、空間Ｓの空間幅Ｗは、下フラップ２２の厚さ及び回転軸２４ａとの取付部の合計寸法分αが追加された空間幅Ｗ２に拡大される。
【００４９】
ところで、上述したように下フラップ２２を通常の可動範囲と異なる位置に回動させる必要がある。例えば、手動で各フラップ２１，２２を回動させる場合は問題なく下フラップ２２のみを後部筐体１１ａの壁部から離間させた位置に回動させることができる。
また、各フラップ２１，２２に個々のモータ（駆動源）を接続した自動制御方式の吹出機構の場合においても、後部筐体１１ａの壁部から離間させた位置に下フラップを回動させることは可能である。つまり、下フラップ２２を回動させる専用のモータを、図３における時計回りに角度Ｆ２の範囲で単独に回動させることによって通常の可動範囲と異なる位置に下フラップ２２を回動させることができる。
【００５０】
また、多くの室内ユニットに採用されている自動制御の各フラップ２１，２２は、１つのモータ（駆動源）を用いてこれにリンクを接続して上フラップ２１と下フラップ２２とを連動させて略平行に回動させている。このような場合、下フラップ２２を単独で通常の可動範囲と異なる位置に回動させるには、以下図５に示したクラッチの構成が一例として必要とされる。
【００５１】
図５は、モータ（図示せず）から各フラップに回転力を伝達するクラッチ３０の構成を説明する図であって、図５（ａ）はクラッチ３０の断面図、図５（ｂ）は（ａ）の矢視Ｇにおけるクラッチ３０の正面図である。
図５（ａ）において、符号３１はボス部材、３１ａはボス部材３１の両側に設けられた凸部、３２はクランク部材、３２ａはクランク部材３２に設けられた凹所、３３はコイルスプリング、１１はクラッチが差し込まれる筐体１１を示している。
【００５２】
クラッチ３０は、１つのモータ（図示せず）に接続された回転軸と連結された略円筒形状のボス部材３１が、この一端部で筐体１１の側壁に差し込まれて回動可能とされる。このボス部材３１の端部近傍には凸部３１ａが円周上の両側に２カ所形成される。
クランク部材３２は中心部がクランク部材３１の円筒形状に合わせて一回り大きな略円筒形状を有し、円筒形状のクランク部材３１の外周に嵌め込まれる。また、この円筒形状は２段形状とされ、ボス部材３１に形成された段付き部３１ｂとクランク部材３２の２段形状との間にコイルスプリング３３が設けられる。
【００５３】
コイルスプリング３３は、筐体１１に差し込まれて定位置とされたボス部材３１の外周に位置し、クランク部材３２を筐体１１の側壁側に押しつける。この押しつけ力によって、ボス部材３１に形成された凸部３１ａにクランク部材３２の凹所３２ａが嵌め合わされる。凸部３１ａと凹所３２ａとが嵌め合わされることによって、モータから伝達された回転力がボス３１に伝達され、さらにはクランク部材３２に回転力が伝達される。
【００５４】
ボス部材３１は、上フラップ２１（図３参照）に連結され、またクランク部材３２のリンク部３２ｂが下フラップ２２（図３参照）に連結され、これらボス部材３１及びクランク部材３２の回転によって各フラップ２１，２２は連動して回動する。以上説明した各フラップ２１，２２の動作は、空気調和機の通常運転時における動作と同様である。
【００５５】
そして、下フラップ２２を単独で通常の可動範囲から異なる位置に回動させる場合には、クランク部材３２を図５（ａ）の矢印において左側に押してコイルスプリング３３を縮め、凸部３１ａから凹所３２ａを退避させてクランク部材３２を回転させる。これによって、凸部３１ａに嵌め込まれた凹所３２ａは凸部３１ａに干渉しない位置に移動し、この状態でクランク部材３２を回転させることで下フラップ２２を単独で回動させることになる（図５（ｂ）参照）。
【００５６】
図５（ｂ）に示されるように凹所３２ａが凸部３１ａから外れ、クランク部材３２の端部円板面３２ｃにボス部材３１の凸部３１ａが乗るので、凸部３１ａが凹所３２ａから外れた後は、クランク部材３２を左側に押さえつける必要はなく、凹所３２ａと凸部３１ａとの嵌め合いがなされる間のほぼ９０°弱の範囲で自由に回動させることができる。
よって、図３（ｂ）に示すように、吹出口１８を塞ぐ状態から図において時計回りに９０°弱回動（Ｆ２）させることで、通常の回動範囲と異なる位置に下フラップ２２を空間Ｓから回避させることができる。
【００５７】
このように構成された本実施形態の空気調和機をなす室内ユニット１は、図３（ｂ）に示すように容易にスポイラ１４を着脱可能にしてタンジェンシャルファン１５につながる空間Ｓが形成されるので、ユーザが手または清掃器具を差し込んでタンジェンシャルファン１５及び吹出通風路１７の清掃を行うことができる。そして、十分に広い空間Ｓの空間幅Ｗ２を有してなお且つ、タンジェンシャルファン１５を目視しやすい角度であるため、清掃を容易に且つ的確に行うことができる。さらに、マイクロスイッチ１３（図４（ｅ）参照）によるタンジェンシャルファン１５の停止を確認して清掃作業を行えるので、ユーザへの安全を配慮することができる。
【００５８】
以上説明した本実施形態は、これらに限定解釈されるものではないことはもちろんである。
【００５９】
なお、本実施形態の変形例として、以下の構成としてもよい。
本実施形態の室内ユニット１は、スポイラ１４の着脱構造と、通常と異なる下フラップの回動機構を合わせ持った構成として説明したが、それぞれ単独で構成してもよい。
また、マイクロスイッチ１３を用いてスポイラ１４の着脱状態を検知する構成としたが、これに限定されるものではなく、マイクロスイッチに類する検知手段を用いてもよいし、レバー１４ａのスライド動作等によって検知することとしてもよい。後者の場合、スポイラ１４の着脱以前にタンジェンシャルファン１５の作動停止確認をすることができ、清掃作業における安全性がさらに確保される。
【００６０】
また、室内ユニットと室外ユニットとが一体化された縦置き型の空気調和機は、タンジェンシャルファン及び吹出口が鉛直方向に長く形成されている。つまり、本実施形態で説明した横置き型の空気調和機が縦置き型の場合でも同様に構成することができ、タンジェンシャルファンに類するファンを容易に清掃することができる。
【００６１】
【発明の効果】
以上説明した本発明の空気調和機においては以下の効果を奏する。
請求項１記載の発明は、筐体には、空気の吹き出し方向に突出して吹出通風路の一部をなす分割吹出口部材が着脱可能に設けられているので、吹出口にフラップが取り付けられた状態においてもファンに通じる空間が形成され、ユーザが容易に且つ的確にファン及び吹出通風路の清掃を行うことができる。
【００６２】
請求項２記載の発明は、分割吹出口部材は、壁部に連続し且つ該壁部に沿う外挿線以下に設けられる壁面を有しているので、空気の流動がスムーズになって運転中の振動・異音等を防止することができる。
【００６３】
請求項３記載の発明は、分割吹出口部材を筐体に固定する固定手段が設けられているので、室内の上方に設置した室内ユニットから容易に分割吹出口部材を着脱し、なお且つ固定することができ、清掃の容易化を図ることができる。
【００６４】
請求項４記載の発明は、筐体に対して分割吹出口部材が装着されているか否かを検知する検知手段が設けられているので、ファンおよび吹出通風路の清掃時にこれを確実に停止させ、清掃作業の安全を図ることができる。
【００６５】
請求項５記載の発明は、吹出通風路の下流側に、空気の吹き出し方向を変更するフラップが設けられ、該フラップが吹き出し方向を変更する通常の可動範囲を超えて壁面から離間する方向に変位可能とされているので、吹出口にフラップが取り付けられた状態でもファンに通じるより大きな空間が形成され、ユーザが容易に且つ的確にファン及び吹出通風路の清掃を行うことができる。
【００６６】
請求項６記載の発明は、フラップがクラッチを介して可動することとされているので、駆動源の追加コストを抑えつつ、フラップを自由に回動させて分割吹出口部材の取り外しによって形成される空間をさらに拡大させることが可能となる。
【００６７】
請求項７記載の発明は、室内ユニットと室外ユニットとを備えた空気調和機の室内ユニットが、請求項１〜請求項６のいずれかに記載の室内ユニットとされているので、ユーザが容易に且つ的確にファン及び吹出通風路を清掃することができ、衛生面と省エネ効果を促す空気調和機を提供することができる。
【図面の簡単な説明】
【図１】  本発明に係る空気調和機の概要を示す全体構成図である。
【図２】  室内ユニットの概略構成を説明する正面図である。
【図３】  室内ユニットの下部の内部構造を示した側断面図であり、図３（ａ）は分割吹出口部材が取り付けられた側断面図、図３（ｂ）は分割吹出口部材が取り外された側断面図を示している。
【図４】  分割吹出口部材及びこれが嵌め込まれる後部筐体の構成を説明する図であって、（ａ）は後部筐体の右下側の斜視図、（ｂ）は後部筐体の左下側の斜視図、（ｃ）は後部筐体に分割吹出口部材が嵌め込まれた状態を示した斜視図、（ｄ）はレバーの動作を説明する斜視図、（ｅ）は分割吹出口部材及び後部筐体の内部構造図である。
【図５】  クラッチの構成を説明する図であって、図５（ａ）はクラッチの断面図、図５（ｂ）は（ａ）の矢視Ｇにおけるクラッチの正面図である。
【図６】  従来の空気調和機の側断面図である。
【符号の説明】
１  室内ユニット
５  室外ユニット
１１  筐体
１１ａ  後部筐体（筐体）
１３  マイクロスイッチ（検知手段）
１４  スポイラ（分割吹出口部材）
１４ａ  レバー（固定手段）
１５  タンジェンシャルファン（ファン）
１７  吹出通風路
１８  吹出口
１９  左右ルーバ
２１  上フラップ（フラップ）
２２  下フラップ（フラップ）
３０  クラッチ
３１  ボス部材
３２  クランク部材
３３  コイルスプリング
Ｓ  空間
Ｗ，Ｗ２  空間幅
【図１】
0004773648.tif 000002
【図２】
0004773648.tif 000003
【図３】
0004773648.tif 000004
【図４】
0004773648.tif 000005
【図５】
0004773648.tif 000006
【図６】
0004773648.tif 000007